(57)【要約】【課題】マクロセルに在圏している移動機の状態を、ブロードバンド回線を介してデータの送受信を行う状態に移行させやすくする。【解決手段】充電ケーブル１３を介して移動機２が接続された場合、フェムトセル基地局１においてはそのことが検出され、移動機２に対するDC電源の供給が充電ケーブル１３を介して行われる。また、マクロセル基地局からの電波を劣化させるための妨害信号と、RF信号を合成して得られた合成信号の供給が充電ケーブル１３を介して行われる。妨害信号が入力された移動機２においては、マクロセル基地局からの電波の受信状況が変化し、それまで在圏していたマクロセルから、フェムトセル基地局１が管理するフェムトセルに対する移行が行われる。本発明は、フェムトセル基地局に適用することができる。【選択図】図４
2010171823.tif 000002
【特許請求の範囲】
【請求項１】
移動機が基地局との間で行う無線通信に用いることが可能な複数の周波数帯域の全域、または一部の帯域の周波数を有する妨害信号を生成する妨害信号生成手段と、
前記妨害信号をケーブルを介して前記移動機に出力する出力手段と
を備える通信装置。
【請求項２】
筐体に設けられた端子に前記ケーブルを介して前記移動機が接続されたことを検出する接続検出手段と、
前記移動機が接続されたことが検出されたとき、前記出力手段に、前記妨害信号を出力させる制御手段と
をさらに備える請求項１に記載の通信装置。
【請求項３】
前記制御手段は、さらに、前記妨害信号を出力させてから予め設定された所定の時間が経過したタイミングで、前記出力手段に、前記妨害信号の出力を停止させる
請求項２に記載の通信装置。
【請求項４】
前記制御手段は、さらに、前記移動機の状態が、マクロセルに在圏している状態から、フェムトセルに在圏した状態に移行したタイミングで、前記出力手段に、前記妨害信号の出力を停止させる
請求項２に記載の通信装置。
【請求項５】
電波を送受信するアンテナと、
RF信号を電波によって前記アンテナから前記移動機に送信する無線通信手段と
をさらに備える請求項１に記載の通信装置。
【請求項６】
基地局からの電波が前記アンテナにおいて受信されることによって得られたRF信号に基づいて、前記基地局からの電波の強度を検出する強度検出手段をさらに備え、
前記妨害信号生成手段は、前記強度検出手段により検出された強度に応じて、生成する前記妨害信号の強度を切り替える
請求項５に記載の通信装置。
【請求項７】
前記移動機に前記ケーブルを介して電源を供給する電源供給手段をさらに備える
請求項１に記載の通信装置。
【請求項８】
移動機が基地局との間で行う無線通信に用いることが可能な複数の周波数帯域の全域、または一部の帯域の周波数を有する妨害信号を生成し、
前記妨害信号をケーブルを介して前記移動機に出力する
ステップを含む信号処理方法。
【発明の詳細な説明】
【技術分野】
【０００１】
本発明は、通信装置、信号処理方法に関し、特に、マクロセルに在圏している移動機の状態を、ブロードバンド回線を介してデータの送受信を行う状態に移行させやすくすることができるようにした通信装置、信号処理方法に関する。
【背景技術】
【０００２】
基地局がカバーする通信エリアを表す概念として「セル」があり、近年、家庭内、オフィス内など、半径数十メートルの狭い範囲をカバーするためのものとして「フェムトセル」が注目されている。
【０００３】
「フェムトセル」は、そのような狭い範囲をカバーする程度のレベルの電波を出力する基地局であるフェムトセル基地局を、ADSL(Asymmetric Digital Subscriber Line)モデム、ONU(Optical Network Unit)などの、構内に設置されているブロードバンド回線の終端装置に接続することによって構築される。
【０００４】
不特定多数の公衆向けのものであって半径数百メートルから数キロメートルの広いセルである「マクロセル」とは異なり、「フェムトセル」はフェムトセル基地局が設置された家屋の住人などの限られたユーザに対して通信サービスを提供するものである。
【０００５】
例えば、屋外にいるユーザが、マクロセルに在圏している状態の移動機を使って音声通話を行った場合、その音声データはマクロセルをカバーするマクロセル基地局から無線アクセスネットワークおよびコアネットワークを介して通信相手の移動機に送信される。
【０００６】
一方、屋内にいるユーザが、フェムトセルに在圏している状態の移動機を使って音声通話を行った場合、その音声データはフェムトセル基地局からモデムに出力され、ブロードバンド回線、コアネットワークなどを介して通信相手の移動機に送信される。
【先行技術文献】
【特許文献】
【０００７】
【特許文献１】特開２００７−１１６３９１号公報
【特許文献２】特開２００７−１４０８２９号公報
【特許文献３】特開２００５−１７５６１１号公報
【特許文献４】特開２００２−２１８５２８号公報
【発明の概要】
【発明が解決しようとする課題】
【０００８】
マクロセルに在圏している移動機を使って通信を行うのと、フェムトセルに在圏している移動機を使って通信を行うのとでは、後者の方が、通信コストが安く、しかも良好な通信品質が得られる場合が多い。
【０００９】
従って、フェムトセルを構築した家屋が、あるマクロセル基地局がカバーするマクロセル内にあり、その家屋内ではマクロセルとフェムトセルの両方を使うことができる場合、通常、フェムトセルを使った方がユーザにとってはメリットがある。
【００１０】
フェムトセル基地局を導入してフェムトセルを自宅に構築したユーザからすれば、外出先から帰宅し、自宅に入ったのと同時に、自分の移動機の状態がマクロセルに在圏している状態からフェムトセルに在圏している状態に移行していることが望ましい。
【００１１】
しかしながら、マクロセルに在圏している状態からフェムトセルに在圏している状態への移行は、フェムトセル基地局からの電波の受信強度が高くても、マクロセル基地局からの電波が十分に劣化していていなければ生じない。
【００１２】
ここで、セル間の移行について説明する。
【００１３】
移動機における電波の受信状況は、注目する基地局からの電波の受信電力と、それ以外の電波（妨害波）の受信電力の比であるEc/Noにより表される。Ec/Noは０dB以下の値であり、セル毎に求められる。
【００１４】
セルの移行を行うか否かの判断に用いる値として例えばSintrasearch、Sintersearch、Qqualminの３つの値があり、各移動機に設定されている。
【００１５】
移動機は、いま在圏しているセルのEc/Noの値がQqualmin＋Sintrasearch以下になったとき、隣接セルリストにスクランブリングコードが記述されている基地局の中から、受信している電波と同一周波数帯域の電波を出力する他の基地局を探索して移行する。
【００１６】
マクロセルに在圏している移動機に対しては、近隣にあるマクロセルで使われているスクランブリングコードが記述されたリストである隣接セルリストがマクロセル基地局から提供される。スクランブリングコードは、CDMA(Code Division Multiple Access)方式の通信システムにおいて各基地局に割り当てられるコードであり、例えば移動機との通信時の拡散変調、復調に用いられる。
【００１７】
また、移動機は、いま在圏しているセルのEc/Noの値がQqualmin＋Sintersearch以下になったとき、隣接セルリストにスクランブリングコードが記述されている基地局の中から、受信している電波と異なる周波数帯域の電波を出力する他の基地局を探索して移行する。
【００１８】
さらに、移動機は、いま在圏しているセルのEc/Noの値がQqualmin以下になったとき、スクランブリングコードが隣接セルリストに記述されていないものも含めて、探索により見つかった基地局がカバーするセルに移行する。Qqualminは要求される最低限の品質を表す。
【００１９】
隣接セルリストにスクランブリングコードが記述されていない基地局がカバーするセルに対する移行は、いま在圏しているセルのEc/Noの値がQqualmin以下、すなわち、十分に劣化していないと生じないことになる。
【００２０】
従って、ユーザが自宅に入った場合であっても、在圏しているマクロセルのEc/Noの値がQqualmin以下にならないと自宅のフェムトセルに対する移行は生じない。
【００２１】
このような条件を満たさないために自宅に入った後もマクロセルに在圏している状態が続く場合、移動機を使った通信はマクロセルを使って行われることになり、自宅にフェムトセルがあったとしてもそのメリットを受けることができない。
【００２２】
本発明はこのような状況に鑑みてなされたものであり、マクロセルに在圏している移動機の状態を、ブロードバンド回線を介してデータの送受信を行う状態に移行させやすくするものである。
【課題を解決するための手段】
【００２３】
本発明の通信装置は、移動機が基地局との間で行う無線通信に用いることが可能な複数の周波数帯域の全域、または一部の帯域の周波数を有する妨害信号を生成する妨害信号生成手段と、前記妨害信号をケーブルを介して前記移動機に出力する出力手段とを備える。
【００２４】
筐体に設けられた端子に前記ケーブルを介して前記移動機が接続されたことを検出する接続検出手段と、前記移動機が接続されたことが検出されたとき、前記出力手段に、前記妨害信号を出力させる制御手段とをさらに設けることができる。
【００２５】
前記制御手段には、さらに、前記妨害信号を出力させてから予め設定された所定の時間が経過したタイミングで、前記出力手段に、前記妨害信号の出力を停止させることができる。
【００２６】
前記制御手段には、さらに、前記移動機の状態が、マクロセルに在圏している状態から、フェムトセルに在圏した状態に移行したタイミングで、前記出力手段に、前記妨害信号の出力を停止させることができる。
【００２７】
電波を送受信するアンテナと、RF信号を電波によって前記アンテナから前記移動機に送信する無線通信手段とをさらに設けることができる。
【００２８】
基地局からの電波が前記アンテナにおいて受信されることによって得られたRF信号に基づいて、前記基地局からの電波の強度を検出する強度検出手段をさらに設けることができる。この場合、前記妨害信号生成手段には、前記強度検出手段により検出された強度に応じて、生成する前記妨害信号の強度を切り替えさせることができる。
【００２９】
前記移動機に前記ケーブルを介して電源を供給する電源供給手段をさらに設けることができる。
【００３０】
本発明の信号処理方法は、移動機が基地局との間で行う無線通信に用いることが可能な複数の周波数帯域の全域、または一部の帯域の周波数を有する妨害信号を生成し、前記妨害信号をケーブルを介して前記移動機に出力するステップを含む。
【００３１】
本発明の通信装置または信号処理方法においては、移動機が基地局との間で行う無線通信に用いることが可能な複数の周波数帯域の全域、または一部の帯域の周波数を有する妨害信号が生成され、前記妨害信号が、ケーブルを介して前記移動機に出力される。
【発明の効果】
【００３２】
本発明によれば、マクロセルに在圏している移動機の状態を、ブロードバンド回線を介してデータの送受信を行う状態に移行させやすくすることができる。
【図面の簡単な説明】
【００３３】
【図１】本発明の一実施形態に係るフェムトセル基地局の設置の例を示す図である。
【図２】電波の受信状況の例を示す図である。
【図３】電波の受信状況の他の例を示す図である。
【図４】フェムトセル基地局に移動機を接続させた状態の例を示す図である。
【図５】充電ケーブルの内部の例を示す図である。
【図６】移動機の一部の構成の例を示す図である。
【図７】フェムトセル基地局の一部の構成の例を示す図である。
【図８】RF信号の例を示す図である。
【図９】妨害信号の例を示す図である。
【図１０】合成信号の例を示す図である。
【図１１】フェムトセル基地局の構成例を示すブロック図である。
【図１２】図１１の通信回路の構成例を示すブロック図である。
【図１３】フェムトセル基地局の移行アシスト処理について説明するフローチャートである。
【図１４】本発明の他の実施形態に係る通信装置に移動機を接続させた状態の例を示す図である。
【図１５】通信装置の構成例を示すブロック図である。
【図１６】図１５の通信回路の構成例を示すブロック図である。
【図１７】通信装置の移行アシスト処理について説明するフローチャートである。
【発明を実施するための形態】
【００３４】
＜第１の実施の形態＞
図１は、本発明の一実施形態に係る通信装置としてのフェムトセル基地局１の設置の例を示す図である。
【００３５】
図１の例においては、家屋Ｈ内にフェムトセル基地局１が設置されている。フェムトセル基地局１には、LAN(Local Area Network)ケーブルなどを介して、ADSLモデムや光ファイバのONUなどの、ブロードバンド回線のモデムが接続されている。
【００３６】
フェムトセル基地局１は、モデムとブロードバンド回線を介してネットワークに接続され、自身が管理するフェムトセルに移動機２が在圏している場合、移動機２が外部の装置との間で行う音声データなどの通信を中継する。
【００３７】
移動機２は、CDMA方式の通信に対応した携帯電話機などの端末である。図１の例においては、移動機が１台だけ示されているが、フェムトセル基地局１は、異なる周波数帯域の電波を使って、最大４台などの所定の数の移動機による通信を同時に中継することができる。
【００３８】
また、図１の例においては、家屋Ｈの外に、フェムトセルよりも広い範囲のセルであるマクロセルを管理する基地局であるマクロセル基地局３，４が設置されている。
【００３９】
家屋Ｈは、マクロセル基地局３が管理するマクロセルとマクロセル基地局４が管理するマクロセルの内側の位置にある。家屋Ｈ内にある移動機２においては、フェムトセル基地局１からの電波だけでなく、マクロセル基地局３からの電波とマクロセル基地局４からの電波が受信される。フェムトセル基地局１においても、マクロセル基地局３からの電波とマクロセル基地局４からの電波が受信される。
【００４０】
図２は、マクロセル基地局３，４が出力する電波の受信状況の例を示す図である。
【００４１】
図２の横軸は周波数を表し、縦軸は電波強度を表す。後述する図３等においても同様である。
【００４２】
図１の通信システムはCDMA方式の通信システムであり、例えば周波数帯域Ｆ1乃至Ｆ4の４つの帯域が用いられる。CDMA方式の通信システムにおいては、通信会社に割り当てられた周波数帯域全体が所定の数の帯域に分けられ、どの帯域の電波を使うのかが各マクロセル基地局に設定されている。移動機は、自分が在圏しているマクロセルの電波の周波数帯域に合わせて、送受信する電波の周波数を選択し、無線通信を行う。
【００４３】
周波数帯域Ｆ1は周波数ｆ1乃至ｆ2の帯域であり、周波数帯域Ｆ2は周波数ｆ2乃至ｆ3の帯域である。また、周波数帯域Ｆ3は周波数ｆ3乃至ｆ4の帯域であり、周波数帯域Ｆ4は周波数ｆ4乃至ｆ5の帯域である。
【００４４】
図２の例においては、マクロセル基地局３は周波数帯域Ｆ3を使用して電波を出力し、マクロセル基地局４は周波数帯域Ｆ4を使用して電波を出力する。マクロセル基地局３が出力する電波とマクロセル基地局４が出力する電波の強度は、いずれも家屋Ｈ内においては強度Ｐ1とされている。
【００４５】
マクロセル基地局３，４が出力する電波に注目した場合、図１の移動機２においては図２に示すような形で電波の受信状況が観測される。
【００４６】
マクロセル基地局からの電波がフェムトセル内にも到達する場合、上述したように、マクロセルに在圏している移動機の状態がフェムトセルに在圏する状態に移行するには、マクロセル基地局からの電波が十分に劣化している必要がある。
【００４７】
従って、例えばマクロセル基地局３が管理するマクロセルに在圏している状態の移動機２を携帯しているユーザが帰宅し、フェムトセル基地局１が管理するフェムトセルに入ったために移動機２において観測される電波の受信状況が図３に示すようなものに変化したとしても、フェムトセルへの移行は生じない。
【００４８】
図３は、フェムトセル基地局１、マクロセル基地局３，４が出力する電波の家屋Ｈ内における受信状況の例を示す図である。
【００４９】
図３の例においては、フェムトセル基地局１は周波数帯域Ｆ2を使用して電波を出力する。フェムトセル基地局１からの電波の強度は、マクロセル基地局３からの電波の強度である強度Ｐ1より高い強度Ｐ2であるが、マクロセル基地局３が管理するマクロセルのEc/NoがQqualmin以上あり、マクロセル基地局３からの電波が劣化していないため、フェムトセルへの移行は生じない。
【００５０】
そこで、フェムトセル基地局１には、マクロセル基地局からの電波を劣化させ、マクロセルからフェムトセルに移行させやすくするための、フェムトセルに対する在圏アシスト機能が設けられている。マクロセル基地局からの電波を劣化させるための妨害信号は、フェムトセル基地局１から移動機２に充電ケーブルを介して供給される。
【００５１】
図４は、フェムトセル基地局１に移動機２を接続させた状態の例を示す図である。
【００５２】
図４の例においては、フェムトセル基地局１と移動機２が充電ケーブル１３を介して接続されている。充電ケーブル１３の一端に設けられるコネクタ１３Ａはフェムトセル基地局１の筐体に設けられる端子１Ａに差し込まれ、他端に設けられるコネクタ１３Ｂは移動機２の筐体側面に設けられる端子２Ａに差し込まれている。
【００５３】
また、図４の例においては、フェムトセル基地局１はLANケーブル１１を介して図示せぬモデムに接続されている。フェムトセル基地局１から延びる電源ケーブル１２の先にあるプラグが家屋Ｈ内のコンセントに差し込まれることによって、フェムトセル基地局１にはAC電源が供給されている。フェムトセル基地局１は、電源ケーブル１２を介して供給されるAC電源に基づいてDC電源を生成し、動作する。
【００５４】
図４に示すようにして充電ケーブル１３を介して移動機２が接続された場合、フェムトセル基地局１においてはそのことが検出され、移動機２に対するDC電源の供給が充電ケーブル１３を介して行われる。移動機２においては、フェムトセル基地局１から供給されたDC電源を用いて、内蔵バッテリの充電が行われる。
【００５５】
また、マクロセル基地局からの電波を劣化させるための妨害信号と、RF(Radio Frequency)信号を合成して得られた合成信号の供給が充電ケーブル１３を介して行われる。
【００５６】
RF信号は、送信対象のデータに対して変調等の処理を施し、移動機２が基地局との間で無線通信を行うときに使用することが可能な周波数帯域Ｆ1乃至Ｆ4のうちのいずれかの周波数帯域と同じ帯域の周波数を有する信号にアップコンバートして得られた信号である。
【００５７】
合成信号の供給は、フェムトセル基地局１の内蔵のアンテナから空間を使って電波によって行われるのではなく、電気信号として有線によって行われる。
【００５８】
図５は、充電ケーブル１３の内部の例を示す図である。
【００５９】
図５に示すように、充電ケーブル１３には、充電用のDC電源の供給に用いられる線である電源供給用ライン１３Ａの他に、データ通信用ライン１３Ｂと同軸ケーブル１３Ｃが設けられる。図５の例においては、電源供給用ライン１３Ａとデータ通信用ライン１３Ｂがそれぞれ１本の線として示されているが、それぞれのラインは所定の数のメタル線によって構成される。
【００６０】
データ通信用ライン１３ＢはUSB(Universal Serial Bus)などの所定の規格に従ったデータ通信に用いられる線である。
【００６１】
同軸ケーブル１３ＣはRF信号と妨害信号を合成した合成信号の供給に用いられる線である。同軸ケーブル１３Ｃは、フェムトセル基地局１において妨害信号が生成されていない場合、RF信号だけの供給にも用いられる。
【００６２】
すなわち、フェムトセル基地局１の端子１Ａには、電源供給用ライン１３Ａ、データ通信用ライン１３Ｂ、同軸ケーブル１３Ｃが接続される端子がそれぞれ設けられる。移動機２の端子２Ａにも、電源供給用ライン１３Ａ、データ通信用ライン１３Ｂ、同軸ケーブル１３Ｃが接続される端子がそれぞれ設けられる。移動機２に設けられる同軸ケーブル１３Ｃの端子は、従来、外部アンテナの接続端子として用いられているものである。外部アンテナの接続に対応している移動機には同軸ケーブルの端子が設けられている。
【００６３】
マクロセル基地局からの電波を劣化させるための妨害信号の供給は、このようにしてRF信号に重畳した形で同軸ケーブル１３Ｃを介して行われる。
【００６４】
妨害信号が入力された移動機２においては、図３に示すようにして観測されていた電波の受信状況が変化し、それまで在圏していたマクロセルから、フェムトセル基地局１が管理するフェムトセルに対する移行が行われる。
【００６５】
図６は、移動機２の一部の構成の例を示す図である。
【００６６】
図６に示すように、移動機２には、内蔵アンテナ２１、スイッチ２２、およびRF回路２３が設けられる。
【００６７】
内蔵アンテナ２１は、フェムトセル基地局１やマクロセル基地局３，４が出力する電波を受信し、また、所定の周波数帯域の電波を出力する。内蔵アンテナ２１において電波が受信されることによって得られたRF信号はスイッチ２２に供給される。
【００６８】
スイッチ２２は、端子２Ａに充電ケーブル１３が接続されていない場合には、内蔵アンテナ２１側の端子である端子ａに接続し、端子２Ａに充電ケーブル１３が接続されている場合には、端子２Ａ側の端子である端子ｂに接続する。端子ａに接続した状態から端子ｂに接続した状態へのスイッチ２２の切り替えは、例えば、端子２Ａに充電ケーブル１３が接続されることによって生じる電圧の変化が検出されたときに行われる。
【００６９】
スイッチ２２が端子ａに接続されている場合、内蔵アンテナ２１において電波が受信されることによって得られたRF信号がRF回路２３に供給される。また、端子ｂに接続されている場合、フェムトセル基地局１から供給された合成信号またはRF信号がRF回路２３に供給される。端子２Ａに充電ケーブル１３が接続されることにより、内蔵アンテナ２１とRF回路２３の間の通信路が切断され、マクロセル基地局３，４からの電波の受信強度が低下する。
【００７０】
RF回路２３は、スイッチ２２を介して供給されたRF信号、または、外部の基地局に送信するデータに基づいて内部の図示せぬ回路において生成された信号を処理する。
【００７１】
例えば、RF回路２３は、スイッチ２２を介してアンテナ２３から供給されたRF信号、またはフェムトセル基地局１から供給された合成信号やRF信号にダウンコンバート等の処理を施し、得られた変調信号を後段の復調回路に出力する。
【００７２】
図６に示す構成の他に、充電ケーブル１３を介して供給されたDC電源に基づいて内蔵バッテリの充電を行う回路、移動機２の全体の動作を制御するマイクロコンピュータ、および、音声信号を処理する回路なども移動機２には設けられる。
【００７３】
図７は、フェムトセル基地局１の一部の構成の例を示す図である。構成の詳細については後述する。
【００７４】
図７に示すように、フェムトセル基地局１には、内蔵アンテナ３１、RF回路３２、妨害信号生成回路３３、合成回路３４、および電源回路３５が設けられる。
【００７５】
内蔵アンテナ３１は、RF回路３２から供給されたRF信号を電波によって移動機２に送信する。また、内蔵アンテナ３１は、移動機２やマクロセル基地局３，４が出力する電波を受信し、受信することによって得られたRF信号をRF回路３２に出力する。
【００７６】
RF回路３２は、送信対象のデータに基づいて内部の図示せぬ回路において生成された信号、または、内蔵アンテナ３１から供給されたRF信号を処理する。RF回路３２により生成されたRF信号は内蔵アンテナ３１と合成回路３４に供給される。
【００７７】
妨害信号生成回路３３は、端子１Ａに充電ケーブル１３が接続され、充電ケーブル１３を介して移動機２が接続されたことが検出された場合、妨害信号を生成し、合成回路３４に出力する。
【００７８】
合成回路３４は、RF回路３２により生成されたRF信号と妨害信号生成回路３３により生成された妨害信号を加算することによって合成し、合成信号を端子１Ａと充電ケーブル１３の同軸ケーブル１３Ｃを介して移動機２に出力する。
【００７９】
電源回路３５は、電源ケーブル１２を介して供給されるAC電源に基づいてDC電源を生成し、フェムトセル基地局１の各部に供給するとともに、充電ケーブル１３の電源供給用ライン１３Ａを介して移動機２に供給する。
【００８０】
図８は、RF信号の例を示す図である。
【００８１】
RF回路３２により生成されたRF信号は、合成回路３４に入力される前に減衰回路において減衰させられた後、図８に示すような形で合成回路３４に入力される。図８の例においては、周波数帯域Ｆ2のRF信号が生成され、合成回路３４に入力されている。
【００８２】
図９は、妨害信号の例を示す図である。
【００８３】
図９の例においては、周波数帯域Ｆ1乃至Ｆ4の全域に渡ってほぼ一定の強度を有する信号が妨害信号として生成され、合成回路３４に入力されている。
【００８４】
図１０は、合成信号の例を示す図である。
【００８５】
図８のRF信号がRF回路３２により生成され、図９の妨害信号が妨害信号生成回路３３により生成された場合、合成回路３４においては図１０に示すような合成信号が生成され、移動機２に出力される。図１０の合成信号は、周波数帯域Ｆ1においてはＰ3、周波数帯域Ｆ2においてはＰ2、周波数帯域Ｆ3とＦ4においてはＰ3の強度を有する信号である。
【００８６】
図１０の合成信号のうちのＰ3の強度を有する成分は妨害信号の成分であり、この妨害信号の成分によって、マクロセル基地局３が出力する周波数帯域Ｆ3の電波とマクロセル基地局４が出力する周波数帯域Ｆ4の電波がマスクされている。図１０において、マクロセル基地局３，４が出力する電波は点線で示している。
【００８７】
妨害信号の強度である強度Ｐ3は、マクロセル基地局３，４が出力する電波の強度である強度Ｐ1より高い強度である。図１０においては、マクロセル基地局３，４が出力する電波の強度を図２の場合と同じ強度Ｐ1として示しているが、実際には、スイッチ２２が端子ｂに接続されることによって、マクロセル基地局３，４が出力する電波の強度は強度Ｐ1より若干低下した形で移動機２において観測される。
【００８８】
各基地局からの電波の受信状況が図１０に示すような形で観測された場合、移動機２においては、それまで在圏していた例えばマクロセル基地局３が管理するマクロセルから、フェムトセル基地局１が管理するフェムトセルへの移行が行われる。図１０の例においては、妨害信号の成分により電波がマスクされることによって、マクロセル基地局３が管理するマクロセルのEc/Noの値はQqualmin以下になっている。
【００８９】
このように、妨害信号を供給することによって、移動機２において受信されているマクロセル基地局からの電波を劣化させることができ、これにより、フェムトセル基地局１が管理するフェムトセルに移動機２を在圏させることができる。
【００９０】
また、妨害信号を例えば電波によって送信し、移動機２の内蔵アンテナ２１に受信させることによってもマクロセル基地局からの電波を劣化させることが可能であるが、充電ケーブル１３を使って有線で供給することによって、通信に用いられる電波以外の、いわば不要な電波を周囲に出力してしまうことを防ぐことができる。
【００９１】
ユーザとしても、家屋Ｈに帰宅したときに充電ケーブル１３のコネクタをフェムトセル基地局１と移動機２に差し込むといった簡単な作業で、自宅に用意したフェムトセルに移動機２を在圏させることができ、フェムトセルを利用することができる。また、ユーザは、移動機２の内蔵バッテリの充電をも行うことができる。
【００９２】
［フェムトセル基地局１の構成例］
図１１は、フェムトセル基地局１の構成例を示すブロック図である。
【００９３】
図１１において、図７に示す構成と同じ構成には同じ符号を付してある。重複する説明については適宜省略する。
【００９４】
図１１に示すように、フェムトセル基地局１は、内蔵アンテナ３１と電源回路３５の他に、ネットワーク通信回路５１、制御回路５２、通信回路５３、および検出回路５４から構成される。
【００９５】
ネットワーク通信回路５１はネットワークのインタフェースであり、TCP/IP(Transmission Control Protocol/Internet Protocol)、UDP(User Datagram Protocol)などの所定のプロトコルに従って、LANケーブル１１を介して、フェムトセル基地局１に対して接続されるモデムと通信を行う。
【００９６】
ネットワーク通信回路５１は、モデムにより受信され、モデムから送信されてきた通信相手の移動機（携帯電話機）からの音声データを通信回路５３に出力し、一方、通信回路５３から供給された、フェムトセルに在圏している移動機２からの音声データをモデムに出力して通信相手の移動機に送信させる。
【００９７】
制御回路５２はCPU(Central Processing Unit)，ROM(Read Only Memory)，RAM(Random Access Memory)などよりなり、所定のプログラムを実行してフェムトセル基地局１の全体の動作を制御する。
【００９８】
例えば、制御回路５２は、端子１Ａに充電ケーブル１３が接続され、充電ケーブル１３を介して移動機２が接続されたことが検出回路５４により検出されたとき、通信回路５３を制御して妨害信号の生成を開始させる。
【００９９】
通信回路５３は、空中線電力が２０ｍＷ以下などの所定の強度の電波を内蔵アンテナ３１から出力し、W-CDMA、CDMA2000などの規格に従って、フェムトセルに在圏している移動機２と無線通信を行う。
【０１００】
通信回路５３は、ネットワーク通信回路５１から供給された通信相手の移動機からの音声データを移動機２に送信し、内蔵アンテナ３１から供給された信号に基づいて受信した移動機２からの音声データをネットワーク通信回路５１に出力する。
【０１０１】
また、通信回路５３は、充電ケーブル１３を介して移動機２が接続された場合、制御回路５２による制御に従って妨害信号を生成し、RF信号と妨害信号を合成して得られた合成信号を、充電ケーブル１３を介して移動機２に出力する。
【０１０２】
検出回路５４は、電源回路３５と端子１Ａの間の電圧の変化を監視する。検出回路５４は、電圧の変化が生じたことを検出した場合、充電ケーブル１３を介して移動機２が接続されたことを表す信号を制御回路５２に出力する。フェムトセル基地局１の電源がオンになっている場合、電源回路３５から端子１Ａに対しては所定の電圧が常時印加されており、充電ケーブル１３を介して移動機２が接続されたとき、その電圧に変化が生じる。
【０１０３】
図１２は、図１１の通信回路５３の構成例を示すブロック図である。
【０１０４】
図１２においても、図７に示す構成と同じ構成には同じ符号を付してある。重複する説明については適宜省略する。
【０１０５】
図１２に示すように、通信回路５３は、RF回路３２、妨害信号生成回路３３、合成回路３４の他に、分配回路６１、減衰回路６２、および出力回路６３から構成される。RF回路３２に対しては、送信対象のデータのベースバンド信号がネットワーク通信回路５１から供給される。送信対象のデータのベースバンド信号は、適宜、制御回路５２からも供給される。
【０１０６】
RF回路３２は、ベースバンド信号に基づいて変調信号を生成し、変調信号を２GHzなどの所定の周波数帯域の信号にアップコンバートする。RF回路３２は、アップコンバートして得られたRF信号にBPF(Band Pass Filter)をかけることによって所定の周波数帯域の信号に制限し、得られたRF信号を分配回路６１に出力する。
【０１０７】
また、RF回路３２は、内蔵アンテナ３１から供給されたRF信号、または移動機２から出力され、充電ケーブル１３を介して供給されたRF信号をダウンコンバートし、復調を施すことによって得られたベースバンド信号をネットワーク通信回路５１に出力する。
【０１０８】
妨害信号生成回路３３は、制御回路５２による制御に従って妨害信号を生成し、合成回路３４に出力する。例えば、妨害信号生成回路３３は、ホワイトノイズの信号を妨害信号として生成する。
【０１０９】
妨害信号生成回路３３による妨害信号の生成は、充電ケーブル１３を介して移動機２が接続されたことが検出されてから予め設定された一定の時間が経過したタイミングなどの所定のタイミングで終了される。例えば、妨害信号が入力されることによってマクロセル基地局からの電波の劣化が検出され、フェムトセル基地局１が管理するフェムトセルへの移行が完了するまでにかかる時間が、一定の時間としてフェムトセル基地局１には設定されている。
【０１１０】
合成回路３４は、減衰回路６２から供給されたRF信号と妨害信号生成回路３３により生成された妨害信号を合成し、合成信号を出力回路６３に出力する。妨害信号の生成が妨害信号生成回路３３により行われていない場合、合成回路３４は、RF回路３２から供給されたRF信号を出力回路６３に出力する。
【０１１１】
分配回路６１は、RF回路３２から供給されたRF信号を分配し、内蔵アンテナ３１と減衰回路６２に出力する。
【０１１２】
減衰回路６２は、分配回路６１から供給されたRF信号を減衰させ、減衰させたRF信号を合成回路３４に出力する。電波によって内蔵アンテナ３１から出力するRF信号と同じ強度のRF信号をそのまま充電ケーブル１３を介して移動機２に出力した場合、移動機２の回路を破壊してしまうおそれがある。減衰回路６２において減衰させたRF信号に妨害信号を合成して出力することにより、そのようなことを防ぐことができる。
【０１１３】
出力回路６３は、合成回路３４から供給された信号を、端子１Ａを介して外部に出力する。
【０１１４】
［フェムトセル基地局１の動作］
ここで、図１３のフローチャートを参照して、以上のような構成を有するフェムトセル基地局１の移行アシスト処理について説明する。
【０１１５】
ステップＳ１において、RF回路３２は、RF信号を生成し、電波によって送信する。移動機２がフェムトセルに在圏する前、例えば、フェムトセル基地局１のスクランブリングコードなどの情報を表すベースバンド信号が制御回路５２から通信回路５３のRF回路３２に対して供給される。
【０１１６】
ステップＳ２において、制御回路５２は、検出回路５４から供給される信号に基づいて、充電ケーブル１３を介して移動機２が接続されたか否かを判定し、移動機２が接続されたと判定するまで待機する。待機している間、RF信号は終始連続して送信される。
【０１１７】
移動機２が接続されたとステップＳ２において判定された場合、ステップＳ３において、妨害信号生成回路３３は妨害信号の生成を開始する。生成された妨害信号は合成回路３４に供給される。RF回路３２により生成されたRF信号も、減衰回路６２において減衰させられた後、合成回路３４に供給されている。
【０１１８】
なお、充電ケーブル１３を介して移動機２が接続されている間も、電波によってRF信号を送信することが続けられるようにしてもよい。
【０１１９】
ステップＳ４において、合成回路３４は、RF信号と妨害信号を合成し、合成信号を生成する。
【０１２０】
ステップＳ５において、出力回路６３は、充電ケーブル１３を介して合成信号を移動機２に出力する。
【０１２１】
ステップＳ６において、制御回路５２は、充電ケーブル１３を介して移動機２が接続されてから一定の時間が経過したか否かを判定する。
【０１２２】
移動機２が接続されてから一定の時間が経過していないとステップＳ６において判定された場合、ステップＳ３に戻り、それ以降の処理が繰り返される。
【０１２３】
合成信号がフェムトセル基地局１から出力されている間、移動機２においては、マクロセル基地局からの電波の劣化が検出され、それまで在圏していたマクロセル以外の他のセルの探索が開始される。合成信号に含まれるRF信号の成分が検出されることによってフェムトセル基地局１が管理するフェムトセルが検出された場合、フェムトセルに対する移行が行われる。
【０１２４】
充電ケーブル１３を介して移動機２が接続されてから一定の時間が経過したとステップＳ６において判定された場合、ステップＳ７において、妨害信号生成回路３３は妨害信号の生成を終了する。
【０１２５】
その後、フェムトセルに在圏した移動機２とフェムトセル基地局１の間では、充電ケーブル１３が外されることによってフェムトセル基地局１と移動機２が有線で接続されていない場合には、電波を使ってRF信号を送受信することによって無線通信が行われる。
【０１２６】
また、充電ケーブル１３を介して移動機２が接続されたままであり、フェムトセル基地局１と移動機２が有線で接続されている場合には、充電ケーブル１３を介してRF信号を送受信することによって有線での通信が行われる。
【０１２７】
妨害信号の生成は終了しているから、フェムトセルに在圏した後に充電ケーブル１３を介して、または電波を介してフェムトセル基地局１から出力される信号には妨害信号の成分は含まれていない。
【０１２８】
移動機２から送信されたデータは、フェムトセル基地局１とモデムを中継し、ブロードバンド回線とネットワークを介して他の装置に送信される。また、移動機２を送信先として他の装置からネットワークとブロードバンド回線を介して送信されてきたデータは、モデムにおいて受信され、フェムトセル基地局１を中継して移動機２に送信される。
【０１２９】
以上の処理により、マクロセルに在圏している移動機２の状態を、フェムトセルに在圏している状態、すなわちモデムを介してフェムトセル基地局１が接続されるブロードバンド回線を使って他の装置と通信を行う状態に移行させやすくすることができる。
【０１３０】
以上においては、充電ケーブル１３を介して移動機２が接続されてから一定の時間が経過したタイミングで妨害信号の生成が終了されるものとしたが、移動機２がフェムトセルに在圏したことが検出されたタイミングで終了されるようにしてもよい。
【０１３１】
移動機２がフェムトセルに在圏したとき、フェムトセルに在圏していることをネットワーク上のサーバであるHSS(Home Subscriber Server)に登録する位置登録の要求が移動機２からフェムトセル基地局１に送信される。例えば、その要求が送信されてきたタイミングで、妨害信号の生成が終了されるようにすることも可能である。
【０１３２】
また、以上においては、図９に示すような、周波数帯域Ｆ1乃至Ｆ4の全域に渡ってほぼ一定の強度を有する信号が妨害信号として生成されるものとしたが、生成される妨害信号は、マクロセルによって使われている周波数帯域のうちの少なくとも一部の帯域の周波数を有する信号であればよい。
【０１３３】
例えば、図２に示すようにしてマクロセル基地局３からの電波とマクロセル基地局４からの電波が受信されている場合、周波数帯域Ｆ3とＦ4だけに渡って一定の強度を有する信号や、その一部に渡って一定の強度を有する信号が妨害信号として生成される。
【０１３４】
上述したように、フェムトセル基地局１においても、マクロセル基地局からの電波の受信状況を内蔵アンテナ３１からの出力に基づいて観測することは可能である。フェムトセル基地局１においては、観測した受信状況に基づいて妨害信号の周波数帯域を切り替え、マクロセル基地局により使用されている周波数帯域のうちの少なくとも一部の帯域に渡って一定の強度を有する信号を妨害信号として生成することが行われる。
【０１３５】
また、マクロセル基地局からの電波の受信状況に基づいて妨害信号の強度が調整されるようにしてもよい。
【０１３６】
例えば、図１０に示すようにしてマクロセル基地局からの電波の強度が強度Ｐ1として検出された場合、それより高く、RF信号の強度Ｐ2より低い強度になるように妨害信号の強度が調整される。
【０１３７】
フェムトセル基地局１により生成されるRF信号は、マクロセル基地局により使用されている周波数帯域と同じ帯域の周波数を有する信号であってもよいし、異なる帯域の周波数を有する信号であってもよい。また、１つの帯域の周波数を有するRF信号だけでなく、複数の周波数帯域をまとめて使用して通信を行うことが可能である場合、複数の周波数帯域を使用したRF信号が生成されるようにしてもよい。
【０１３８】
充電ケーブル１３を介して移動機２が接続されてから一定の時間が経過したタイミングや、移動機２がフェムトセルに在圏したことが検出されたタイミングで、フェムトセルに在圏したことがユーザに通知されるようにしてもよい。
【０１３９】
例えば、フェムトセル基地局１の筐体に設けられたLCD(Liquid Crystal Display)にそのことを表す情報が表示されることによって通知されるようにしてもよいし、LED(Light Emitting Diode)の発光によって通知されるようにしてもよい。
【０１４０】
＜第２の実施の形態＞
図１４は、本発明の他の実施形態に係る通信装置１０１に移動機２を接続させた状態の例を示す図である。
【０１４１】
図１４において、図４に示す構成と同じ構成には同じ符号を付してある。
【０１４２】
上述したように、移動機２がフェムトセルに在圏した後、フェムトセル基地局１と移動機２の間では、RF信号を電波を使って送受信することによって通信を行うだけでなく、充電ケーブル１３を介してRF信号を送受信することによっても通信を行うことが可能である。
【０１４３】
図１４の通信装置１０１は電波を出力する機能を有していない。通信装置１０１は、マクロセルに在圏している移動機２の状態を、自身が中継し、ブロードバンド回線を使って他の装置と通信を行う状態に移行させた後、充電ケーブル１３を介してRF信号を送受信することによって移動機２との間で通信を行う。
【０１４４】
移動機２から充電ケーブル１３を介して送信された例えば音声データのRF信号は通信装置１０１により受信され、音声データがLANケーブル１１を介してモデムに出力される。モデムに出力された音声データは、ブロードバンド回線とネットワークを介して、通信相手の装置（通話相手の移動機）に送信される。
【０１４５】
また、移動機２を送信先として他の装置からネットワークとブロードバンド回線を介して送信されてきたデータは、モデムにおいて受信される。モデムにおいて受信されたデータは、LANケーブル１１を介して通信装置１０１に送信され、通信装置１０１を中継して、RF信号として充電ケーブル１３を介して移動機２に送信される。
【０１４６】
すなわち、この例においては、移動機２のユーザは、充電ケーブル１３によって移動機２を通信装置１０１に接続させ、マクロセルに在圏している移動機２の状態を通信装置１０１が接続されるブロードバンド回線を使って通信を行う状態に移行させた後、通信装置１０１に接続させたまま、移動機２を用いて音声通話などを行うことになる。
【０１４７】
図１４に示すようにして充電ケーブル１３を介して移動機２が接続された場合、通信装置１０１においてはそのことが検出され、移動機２に対するDC電源の供給が開始される。移動機２においては、通信装置１０１から供給されたDC電源を用いて、内蔵バッテリの充電が行われる。
【０１４８】
また、マクロセル基地局からの電波を劣化させるための妨害信号と、RF信号を合成した合成信号の供給が開始される。
【０１４９】
妨害信号と合成して通信装置１０１から出力されるRF信号は、送信対象のデータに対して直交変調等の処理を施し、移動機２が基地局との間で行う無線通信に用いることが可能な周波数帯域のうちのいずれかの周波数帯域と同じ帯域の周波数を有する信号にアップコンバートして得られた信号である。
【０１５０】
妨害信号が入力された移動機２の状態は、フェムトセル基地局１から妨害信号が入力された場合と同様にして、マクロセルに在圏している状態から、通信装置１０１が接続されるブロードバンド回線を使用して他の装置と通信を行う状態に移行する。
【０１５１】
このように、無線通信機能を有していない通信装置１０１から妨害信号を供給することによっても、移動機２において受信されているマクロセル基地局からの電波を劣化させることができる。これにより、通信装置１０１が接続されるブロードバンド回線を使用して他の装置と通信を行う状態に移動機２の状態を移行させることができる。
【０１５２】
ユーザとしても、家屋Ｈに帰宅したときに充電ケーブル１３のコネクタを通信装置１０１と移動機２に差し込むといった簡単な作業で、通信装置１０１が接続されるブロードバンド回線を利用して通信を行うことができる。また、ユーザは、移動機２の内蔵バッテリの充電をも行うことができる。
【０１５３】
通信装置１０１はフェムトセル基地局１と同様に外部の装置と移動機２の間の通信を中継する装置であるものの、電波を出力しないため、電波法等による規制を受けないというメリットもある。
【０１５４】
［通信装置１０１の構成例］
図１５は、通信装置１０１の構成例を示すブロック図である。
【０１５５】
図１５に示すように、通信装置１０１は、無線通信に関する構成が設けられていない点を除いて、図１１に示すフェムトセル基地局１の構成と同じ構成を有する。通信装置１０１は、ネットワーク通信回路１１１、制御回路１１２、通信回路１１３、電源回路１１４、および検出回路１１５から構成される。
【０１５６】
ネットワーク通信回路１１１は、LANケーブル１１を介して、通信装置１０１に対して接続されるモデムと通信を行う。
【０１５７】
ネットワーク通信回路１１１は、モデムにより受信された通信相手の移動機からの音声データを通信回路１１３に出力し、一方、通信回路１１３から供給された移動機２からの音声データをモデムに出力して通信相手の移動機に送信させる。
【０１５８】
制御回路１１２は、所定のプログラムを実行して通信装置１０１の全体の動作を制御する。
【０１５９】
通信回路１１３は、充電ケーブル１３を介して移動機２が接続された場合、制御回路１１２による制御に従って妨害信号を生成し、RF信号と妨害信号を合成して得られた合成信号を、充電ケーブル１３を介して移動機２に出力する。
【０１６０】
また、通信回路１１３は、移動機２の状態が、通信装置１０１が接続されるブロードバンド回線を使用して他の装置と通信を行う状態に移行した後、充電ケーブル１３を介してRF信号を送受信することによって移動機２との間で通信を行う。通信回路１１３は、移動機２からRF信号として送信されてきたデータをネットワーク通信回路１１１に出力し、ネットワーク通信回路１１１から供給されたデータをRF信号として移動機２に送信する。
【０１６１】
電源回路１１４は、電源ケーブル１２を介して供給されるAC電源に基づいてDC電源を生成し、DC電源を通信装置１０１の各部に供給するとともに、充電ケーブル１３を介して移動機２に供給する。
【０１６２】
検出回路１１５は、電源回路１１４と端子１０１Ａの間の電圧の変化を監視し、電圧の変化が生じたことを検出した場合、充電ケーブル１３を介して移動機２が接続されたことを表す信号を制御回路１１２に出力する。
【０１６３】
図１６は、図１５の通信回路１１３の構成例を示すブロック図である。
【０１６４】
図１６に示すように、通信回路１１３は、RF回路１２１、減衰回路１２２、妨害信号生成回路１２３、合成回路１２４、および出力回路１２５から構成される。
【０１６５】
RF回路１２１は、ネットワーク通信回路１１１から供給されたベースバンド信号に基づいて変調信号を生成し、変調信号を所定の周波数帯域の信号にアップコンバートする。RF回路１２１は、アップコンバートして得られた信号にBPFをかけ、得られたRF信号を減衰回路１２２に出力する。
【０１６６】
また、RF回路１２１は、移動機２から出力され、充電ケーブル１３を介して供給されたRF信号をダウンコンバートし、復調を施すことによって得られたベースバンド信号をネットワーク通信回路１１１に出力する。
【０１６７】
減衰回路１２２は、RF回路１２１から供給されたRF信号を減衰させ、減衰させたRF信号を合成回路１２４に出力する。
【０１６８】
妨害信号生成回路１２３は、制御回路１１２による制御に従って、図９に示すような妨害信号を生成し、合成回路１２４に出力する。
【０１６９】
合成回路１２４は、減衰回路１２２から供給されたRF信号と妨害信号生成回路１２３により生成された妨害信号を合成し、図１０に示すような合成信号を出力回路１２５に出力する。
【０１７０】
出力回路１２５は、合成回路１２４から供給された信号を、端子１０１Ａを介して外部に出力する。
【０１７１】
［通信装置１０１の動作］
図１７のフローチャートを参照して、以上のような構成を有する通信装置１０１の移行アシスト処理について説明する。
【０１７２】
ステップＳ１１において、制御回路１１２は、検出回路１１５から供給される信号に基づいて、充電ケーブル１３を介して移動機２が接続されたか否かを判定し、移動機２が接続されたと判定するまで待機する。
【０１７３】
移動機２が接続されたとステップＳ１１において判定された場合、ステップＳ１２において、RF回路１２１はRF信号の生成を開始する。RF回路１２１により生成されたRF信号は、減衰回路１２２において減衰させられた後、合成回路１２４に供給される。移動機２の状態が、通信装置１０１が接続されるブロードバンド回線を使用して他の装置と通信を行う状態にない場合、例えば、通信装置１０１に設定されたスクランブリングコードを表すRF信号が生成される。
【０１７４】
ステップＳ１３において、妨害信号生成回路１２３は妨害信号の生成を開始する。妨害信号生成回路１２３により生成された妨害信号は合成回路１２４に供給される。
【０１７５】
ステップＳ１４において、合成回路１２４は、RF信号と妨害信号を合成し、合成信号を生成する。
【０１７６】
ステップＳ１５において、出力回路１２５は、充電ケーブル１３を介して合成信号を移動機２に出力する。
【０１７７】
ステップＳ１６において、制御回路１１２は、充電ケーブル１３を介して移動機２が接続されてから一定の時間が経過したか否かを判定する。
【０１７８】
移動機２が接続されてから一定の時間が経過していないとステップＳ１６において判定された場合、ステップＳ１２に戻り、それ以降の処理が繰り返される。
【０１７９】
合成信号が通信装置１０１から出力されている間、移動機２においては、マクロセル基地局からの電波の劣化が検出され、それまで在圏していたマクロセル以外の他のセルの探索が開始される。合成信号に含まれるRF信号の成分が検出された場合、通信装置１０１が接続されるブロードバンド回線を使用して通信を行う状態への移行が行われる。
【０１８０】
充電ケーブル１３を介して移動機２が接続されてから一定の時間が経過したとステップＳ１６において判定された場合、ステップＳ１７において、妨害信号生成回路１２３は、制御回路１１２による制御に従って、妨害信号の生成を終了する。
【０１８１】
その後、移動機２と通信装置１０１の間では、充電ケーブル１３を介してRF信号を送受信することによって有線での通信が行われる。
【０１８２】
以上の処理により、マクロセルに在圏している移動機２の状態を、通信装置１０１が接続されるブロードバンド回線を使って他の装置と通信を行う状態に移行させやすくすることができる。
【０１８３】
以上においては、充電ケーブル１３を介して移動機２が接続されてから一定の時間が経過したタイミングで妨害信号の生成が終了されるものとしたが、通信装置１０１が接続されるブロードバンド回線を使用して他の装置と通信を行う状態に移動機２の状態が移行したことが検出されたタイミングで、妨害信号の生成が終了されるようにしてもよい。
【０１８４】
また、通信装置１０１が接続されるブロードバンド回線を使って他の装置と通信を行う状態に移行したことが、LCDの表示により、またはLEDの発光によりユーザに通知されるようにしてもよい。
【０１８５】
本発明の実施の形態は、上述した実施の形態に限定されるものではなく、本発明の要旨を逸脱しない範囲において種々の変更が可能である。
【０１８６】
例えば、フェムトセルに在圏させる場合について説明したが、「ピコセル」、「マイクロセル」と呼ばれる小型セルに在圏させる場合にも同様の処理により実現することが可能である。
【符号の説明】
【０１８７】
１  フェムトセル基地局，  ２  移動機，  ３，４  マクロセル基地局，  １３  充電ケーブル，  ３１  内蔵アンテナ，  ３２  RF回路，  ３３  妨害信号生成回路，  ３４  合成回路，  ３５  電源回路，  ５１  ネットワーク通信回路，  ５２  制御回路，  ５３  通信回路，  ５４  検出回路，  １０１  通信装置
【図１】
2010171823.tif 000003
【図２】
2010171823.tif 000004
【図３】
2010171823.tif 000005
【図４】
2010171823.tif 000006
【図５】
2010171823.tif 000007
【図６】
2010171823.tif 000008
【図７】
2010171823.tif 000009
【図８】
2010171823.tif 000010
【図９】
2010171823.tif 000011
【図１０】
2010171823.tif 000012
【図１１】
2010171823.tif 000013
【図１２】
2010171823.tif 000014
【図１３】
2010171823.tif 000015
【図１４】
2010171823.tif 000016
【図１５】
2010171823.tif 000017
【図１６】
2010171823.tif 000018
【図１７】
2010171823.tif 000019